(57)【要約】【課題】単数又は複数の種類のゲーム等及び／又は各種技能試験をミニ盤を使用して簡便、迅速、効率的に行い、免状を発行する装置及びソフトを提供する。【解決手段】単数又は同時に複数のゲーム類及び／又は各種技能試験等ソフト類のコンピューターソフト類をミニ盤画面に世界語を使用して表示、同時進行させると共に、それらの実施の途中及び終了時に実施者の実力を段級判定し、各結果に対する単数又は複数の個人名又はチーム名入りの世界語による免状を発行すると共に、必要に応じて複数のゲーム類及び／又は技能試験類に対する総合の免状を無料又は有料で発行し、必要に応じた情報等を送受する装置、そのソフト及び／又は製作方法を提供する。操作者は短時間の内に種々の複数のゲーム等及び／又は各種技能試験等に対する技能向上が図れる。【選択図】　なし【特許請求の範囲】
【請求項１】
単数又は同時複数の各種ゲームソフト類及び／又は各種技能試験ソフト類をミニ盤面に表示し、単数又は複数の個人又はチームが前記のソフトを操作し、それらの実施の途中及び／又は終了時に前記のゲーム類及び／又は試験の得点結果を出し、及び印刷ソフトと印刷機を備えたコンピューターで、個人又はチームがそのゲーム類及び／又は技能試験ソフト類を操作した際に途中及び終了時に操作者の実力を段級判定し、各試験結果に対する単数又は複数の個人名又はチーム名入りの免状を発行すると共に、必要に応じた情報を送受する装置、使用ソフトウエアシステム及び／又は製作方法。
【請求項２】
単数又は同時複数の各種ゲーム及び／又は各種技能試験を実施している最中のミニ盤面のビデオ動画像及び／又は複数枚の静止画像を前記のゲームソフト類製作者及び／又は各種技能試験実施本部に送付すると結果に応じて前記のゲームソフト類製作者及び／又は各種技能試験実施本部が単数又は複数の個人名又はチーム名入り免状を発行し、必要に応じて複数のゲーム類及び／又は技能試験類に対する総合の免状を発行し、必要に応じた情報を送受する装置、使用ソフトウエアシステム及び／又は製作方法。
【請求項３】
ミニ盤面に表示する言語には任意の２ケ国語以上をルビ、振り仮名の関係のように同時併記する、請求項１による装置、使用ソフトウエアシステム及び／又は製作方法。
【発明の詳細な説明】
【０００１】
【発明の属する技術分野】
本発明はミニ盤面による免状発行装置、使用ソフトウエアシステム及び／又は製作方法に関するものである。
【０００２】
「ミニ盤面」とは、たとえば囲碁で言えば、１９路よりも少ない路数の碁盤の面のことである。１３路盤、９路盤がよく知られているが、更に小さいミニ盤面、たとえば６路盤を使っても良い。縦６路、横５路等の変形碁盤を使っても良い。オセロでも、６路盤を使っても良い。縦６路、横５路等の変形オセロ盤を使っても良い。将棋、チェス等も適宜７画以下に狭くし、駒を減らしたルールにしてもよい。詰め碁、詰め将棋もこのミニ盤面の中に入る。百人一首で言えば、競技で最初に５０枚でゲーム開始することは既にミニ盤面であり、これを最初から１０枚でゲーム開始することもミニ盤面ゲームである。
【０００３】
野球で言えば、通称「３角ベース」のようなものがミニ盤面である。ミニサッカー、ミニバスケット等も同様である。ミニ盤面使用は、多少の機能が低下しても、主な性能、興趣はカバーされ、安直、短時間でゲームが終わるため、技術向上、初心者指導用にも便利である。
【０００４】
囲碁で言えば、路数で「ハンデ」も変わる。現在５目半のハンデは路数の奇数、偶数によって凸凹も考えられるが、６路盤では、約６目半、路数が無限大ではゼロである。
【０００５】
同様に、必勝法があっても、初心者向けには差し支え無い。たとえばオセロ６路盤では、後手必勝法があるが、初心者用や段級認定には使用できる。
【０００６】
更に詳しくは、本考案は単数又は同時複数の各種ゲームソフト類及び／又は各種技能試験ソフト類のミニ盤面を画面に表示、実施可能で、単数又は複数の個人又はチームがこれらの単数又は複数の前記のソフトを同時に実施でき、それらの操作の途中及び終了時に前記のゲーム類及び／又は試験の得点結果を出せ、及び印刷ソフトと印刷機を備えたコンピューターで、個人又はチームがそのゲーム類及び／又は技能試験ソフト類を実施した際に途中及び終了時に操作者の実力を段級判定し、各結果に対する単数又は複数の個人名又はチーム名入りの免状を発行すると共に、必要に応じて単数又は複数のゲーム類及び／又は技能試験類に対する総合の免状を発行し、必要に応じた情報を世界語を使用して送受する装置、使用ソフトウエアシステム及び／又は製作方法に関するものである。これらの免状は各種のゲーム類の製作本部及び／又は技能試験類の製作本部（外部コンピューター）に持参して簡単な確認テストに合格すれば免状発行の団体にて番号の本部記録、免状への番号記入及び印鑑と割り印を押して貰えば正式認定の証拠となる。別途本物の免状と交換して貰っても良い。又は前記の手続きを外部コンピューター上で全て行わせてもよい。
【０００７】
【従来の技術】
近年、コンピューターを使用した各種ゲームマシンが製作販売され、ゲームセンターでは高得点を競う各種マシンが並んでいて、各種マシンで各種のゲームをすることが出来る。一方、日本では古来から、囲碁や将棋、チェス、麻雀、コントラクトブリッジ、百人一首、花札、等の伝統的室内ゲーム類があって、世界に誇れるゲーム大国と言って良い。
【０００８】
ところが、このコンピューター時代、ロボット時代に、これら古来のゲームと、若者のゲームマシンの間に橋渡しが無いのは不思議なことである。
今、パソコンレベルでの各種ゲームソフト類が製作販売されており、１人でもパソコンで前記の伝統的室内ゲーム類を楽しむことができる。各種技能試験用模擬試験ソフト類もコンピューターソフト化可能である。単数又は複数の個人又はチームがこれらのソフトを同時に操作することもできる。カラオケ等も種々のマシンが普及している。
【０００９】
しかし、これらのゲームは一つの言語で行なわれるのがほとんどである。
【００１０】
【発明が解決しようとする課題】
しかし、前記のゲームセンターで表示される得点はそれまでの総得点（積分値）であって、各瞬間の微分値（能力）は表示されていない。一方、前記の伝統的室内ゲーム類にはゲームセンターでの総得点を競うようなソフトは通常無い。せいぜい、詰碁、詰将棋が何分で解けたら何級とか、何段という判定がある程度である。また、これらの結果を記録保持、更にマシン製作本部の認定証書等を発行することはできない。
【００１１】
前記の伝統的室内ゲーム類及び／又は各種技能試験ソフト類には種々の連盟、協会、団体等の本部による段級認定制度はあっても、それらの取得には費用、時間、手間がかかり、試験を受けなければこれらの認定が受けられないという思いこみによる心理的負担が大きく、これらの伝統的室内ゲーム類普及上のネックになっている。また、複数の種類のゲーム類及び／又は各種技能試験に対する免状を同時に発行するようにはなっていない。これらの伝統的室内ゲーム類をするためには短時間では実施不能で、長い場合は数時間がかかり、忙しい現代人には向いていない面がある。各種技能試験用模擬試験ソフト類も普及していない。必要に応じた技術指導情報等を送受する装置及び／又はそのソフトは付属していない。更に、必要に応じた技術指導情報等を送受する装置及び／又はそのソフトは付属していない。たとえば技術についてのアドバイス、コンテストへの参加情報、指導者紹介情報なども欠けている。囲碁、将棋等でプロによる数面打ちはあるが、万人のものにはなっていず、遅れている。短時間で各ゲームが終われば、数多くの種類のゲームを楽しむこともできる筈である。
【００１２】
また、体育関連では何種かの競技を組み合わせた競技はあるが、たとえば囲碁、将棋及びチェスの総合得点を競う３種競技とかはなく、ましてや鉄人１０種競技のようなものは存在しない。ましてや同時進行は一般的ではない。数学、国語、理科、社会等の学科目を組み合わせたものも無く、たとえば囲碁と数学に強いという総合判定を（短時間、同時に）することはできない。体育オリンピックはあっても、頭脳オリンピックは無い。地球人は他のＥＴ生物から見れば、頭から下のみで生きている生物と見られても仕方が無い。また、オリンピック等でも、審判が買収されたり、主観や情実でメダル授与が作用され、観客の中からブーイングが起こる事態が生じている。人類は今より更に合理的な審判システムを開発して、コンピューター時代、ロボット時代の客観的な将来の頭脳オリンピック、芸術的オリンピック開催に向けて進むべきである。
【００１３】
これらの実施にあたって時間がかかるが、単数又は複数の各種ゲームソフト類及び／又は各種技能試験ソフト類を同時に実施すれば一種の各種ゲームソフト類及び／又は各種技能試験ソフト類を考えている最中や、相手が考えている間にも、他の各種ゲームソフト類及び／又は各種技能試験ソフト類を無意識で考えたり、頭が休んでいる間に良いアイディアが出ることがあり、単数又は複数の各種ゲームソフト類及び／又は各種技能試験ソフト類の同時進行によって技能を短時間で向上させることも可能であり、総合的に実施時間を短縮できるが、このような設備やシステムはまだ無い。また、ミニ盤面使用は、多少の機能が低下しても、安直、短時間でゲームが終わるため、時間を短縮でき、同一時間で一層多くのゲームを楽しむことができる。
【００１４】
また、日本のゲームが世界的に普及しないのには、言葉のハンデもあり、世界語が存在しないために文化の普及が遅れる一面もある。
【００１５】
【課題を解決するための手段】
本発明は、ミニ盤面を使用し、囲碁、オセロでは、６路盤を使っても良い。前記の単数又は同時に複数のゲーム類及び／又は各種技能試験等ソフト類のコンピューターソフト類を画面に表示できて同時進行させ得ると共に、それらの実施の途中及び終了時に実施者の実力を段級判定し、各結果に対する単数又は複数の個人名又はチーム名入りの免状を発行すると共に、必要に応じてモデムを介した外部コンピューターの力を借りて複数のゲーム類及び／又は技能試験類に対する総合の免状を無料又は有料で発行し、必要に応じた情報等を世界語を使用して送受する装置及び／又はそのソフトに関するものであり、コンピューター時代、ロボット時代の将来の頭脳オリンピックの開催へ向けての一石を投じようとするものである。
【００１６】
また、これらのゲームを実施する際の表示に、世界語を使用して日本以外、世界中のどこでも文化の普及を進める手段を併用することが望ましい。
【００１７】
ここで言う世界語とはエスペラント語のような単一種の言語ではなく、たとえば「猿」という中国語の漢字に「サル」という大和言葉を、振り仮名、ルビ等の関係として付属させた２ケ国語以上の言語が同時表記されるもののことと定義する。
【００１８】
【発明の実施形態】
本発明は、前記単数又は同時複数のゲーム類及び／又は各種技能試験ソフト類のコンピューターソフト類をミニ盤面にて画面に表示できて同時進行させ得ると共に、それらを操作した際に途中及び終了時に前記のゲーム類及び／又は各種技能試験ソフト類に対する操作者の実力を段級判定し、各結果に対する個々の免状を発行すると共に、必要に応じて複数のゲーム類及び／又は技能試験類に対する総合の免状を発行し、必要に応じた情報等を送受する装置及び／又はそのソフトに関するものである。これらはモデムを介した外部コンピューターの力を借りても良い。
【００１９】
本発明によれば、たとえば麻雀では、同時対戦の４人又は４チームのそれぞれに段級判定し、免状を発行し、必要に応じた指導情報を送受することができる。そのために複数のマウス等の入力手段を備えることができる。
【００２０】
本発明によれば、何種かのゲーム、技能試験を組み合わせた免状を発行でき、たとえば茶道の能力と囲碁ゲームの能力の総合、文武の組み合わせ免状も発行できる。たとえば鉄人（哲人？）１０種競技免状のようなものも発行し、必要に応じた情報等を送受できる。
【００２１】
前記の情報の中には、たとえば地方ランキング、全国ランキング、アジア地域ランキング、世界ランキング、年令別、性別ランキング等も提供可能である。また、他者名入りランキングリストも配布でき、実施者のランキングの時間的変化を年を追ったグラフ化して提供することもできる。複数者での登録も可能である。
勿論、インターネット上で各ゲームを行っても良い。主催者やソフトによって多少の上下があるのはやむを得ないが、それらを共通化するためのルールを定めることも可能である。たとえば、囲碁で１０級以下が明確で無い等、一般に初心者向けのランキングは整備が遅れているが、たとえば囲碁で６路盤卒業、オセロで５路盤卒業等の初心者向けランク付けを作ってもよい。
【００２２】
前記のゲーム類及び／又は技能試験等は種々選択ができる。例えば、各種コンピューターゲームとコンピューター使用パフォーマンス（ゴルフのハンデ判定機、的等にボール等を当てるゲーム、ビリヤード、バッティングマシン使用を含む野球、テニス、体操等の武道やスポーツ、書道、茶道、華道、舞踊、曲芸、手品、各種の釣り、もぐら叩き、カラオケ、のど自慢、楽器演奏等、身体を使うものの全てのビデオ、動画、画像送信等の使用でも、ゲーム及び／又は技能試験等が実施されている状況がわかれば良い）、複数路の囲碁、ペア囲碁、団体囲碁、将棋、チェス、百人一首、かるたゲーム、コントラクトブリッジ、ポーカー、神経衰弱等のトランプを使用したゲーム、麻雀、花札、オセロ、５目並べ、おはじき、剣玉、めんこ、べーごま、漢字知識、アンティーク鑑賞、翻訳、数学、国語、理科、社会、古文等の学科目、各種の国家試験、技能試験等、物知りクイズ、楽器演奏等もミニ化の可能性が挙げられるが、必ずしもこの例に限定されるものではない。たとえば各種スポーツ、ゲーム、技能試験等の審判員の免状を出すこともできる。
たとえば、囲碁では、１８路までの各種大きさの碁盤によるゲームも可能で、詰め碁での認定も可能だし、布石何段、詰め碁何段という認定もあり得る。立体的な碁盤を表示してゲームしても良い。将棋も駒落ちゲームで段級認定も可能である。オセロでも「グランド」とか、変形盤も使用可能である。
【００２３】
発行される免状の形状、材質、大きさ等は種々選択ができる。たとえば額に入れて飾るようなものでも良く、自動車運転免許証のようなカード形式にしても良い。本発明によれば、各種免状発行を連ねてバッジに作成し、軍人の勲功賞、略賞のようなバッジの組み合わせを発行することも可能である。それらを胸に連ねて示しても良い。これらは昇格する毎に差し替え可能にしてもよい。
【００２４】
たとえば技術翻訳を例に取ると、マシンのディスプレイ上にはまず原文が表示されるので、実施者は原文に対する世界各国語の訳文を一定時間内にワープロ化し、送信する。受信はそのマシン内及び／又は外部コンピューターのあるマシン製作本部で行なわれる。実施中のマシン内及び／又は外部コンピューターのあるマシン製作本部では前記の訳文を分析評価して結果を認定し、実施者が求める免状発行、必要に応じた技術指導情報等を有料又は無料で送信する。有料の場合、現金、マネーカード、マシン等で発行するチップ類で支払可能である。たとえばマシン内での回答は無料、製作本部での回答は有料等と、差を付けても良い。
【００２５】
本発明によれば、必要に応じた情報等を送受する装置及び／又はそのソフトが付属しており、たとえば実施者に適当な技術についてのアドバイス、ランキング、コンテストへの参加情報、指導者紹介情報等を付属させることができる。コンテストへの参加情報、指導者紹介情報等は実施者の単数、複数ソフトの実施に合わせて適当なものを紹介でき、第一次予選参加可能、直接第二次予選以上に参加可能なども情報提洪ができる。
【００２６】
複数ソフト実施の場合、各ソフトの得点はさほど高くなくても、文武等の組み合わせによっては、たとえば鉄人（哲人？）１０種競技の地方ランキング、全国ランキング、世界ランキング等では高くなる場合も情報提供可能であり、コンテスト参加が可能となる場合がある。会報を出しても良い。
【００２７】
段級名は種々選択ができる。たとえば３０級から順次技能アップによって１級まで、次ぎは初段、２段等と上がるとか、コーチ、指導員、審査員、錬士、教士、名取り、師範、名人、本因坊、シングル、名誉ＸＸ、横綱、序二段、６路盤卒業、等、自由に選択してもよい。
【００２８】
同一ソフトに対するコンテストを一律、同時に実施してランキングを出す、第Ｘ年度バーチャル世界コンクール等を案内し、実施することもできる。
【００２９】
また、これらのゲームを実施する際の言語表示には、２ケ国語以上の言語が相互に振り仮名、ルビ等の関係として付属し同時表記されるものを世界語と称して使用し、日本以外、世界中どこにでも文化の普及を進め得る手段も併用する。具体的には、特開平２０００−１１２９３２、２００１−５８０７、２００２−１８３１３５のワープロソフト特許に示すように、世界共通のワープロ短縮登録法を使用し、簡便、迅速、効率的に書き込み、変更可能にしてもよい。
【００３０】
【発明の効果】
本発明によれば、前記のゲーム類のコンピューターソフト類を画面に表示して単一又は複数を同時進行させ得ると共に、それらを操作した際に途中及び終了時に前記の複数のゲーム類に対する操作者の実力を段級判定し、各結果に対する個々の免状を発行すると共に、必要に応じて複数のゲーム類及び／又は技能試験類に対する総合の免状を短時間の内に発行し、必要に応じた情報を送受でき、短時間内に複数のゲーム、教科目等が楽しめるだけでなく、それらに対する技能の急速な向上が図れる。
【００３１】
本発明によれば、操作者の状況、瞳等を観察して、健康上等から操作を最早中止勧告するとか、甚だしい場合には一方的に装置停止するソフトを備えることができる。
【００３２】
これらのゲームを実施する際の言語の画面表示には、「猿」という漢字に「サル」や、「ｍｏｎｋｅｙ」という振り仮名、ルビ等が付属した２ケ国語以上の言語が同時表記されるものを世界語として使用し、たとえば囲碁の「猿走り」には英語版では「ｍｏｎｋｅｙ−ｒｕｎ」が同時併記され、「マンキーラン」と読む。伊国語版であれば「ｓｃｉｍｍｉａ−ｃｏｒｓａ」とルビが振ってある。ワープロ化時には、「猿」のローマ字読み「ｓａｒｕ」の母音を除いた「ｓｒ」を短縮登録して使用する（前から順に母音を除いた最大３綴りのローマ字読みを使うルール、特開平２０００−１１２９３２、２００１−５８０７、２００２−１８３１３５のワープロソフト特許参照）。「ｍｏｎｋｅｙ−ｒｕｎ」をワープロ化する時には、「猿走り」のローマ字読み「ｓａｒｕｂａｓｉｒｉ」の母音を除いた「ｓｒｂ」を短縮登録しておけば良い。「猿走り」をワープロ化する時には、「猿走り」のローマ字読み「ｓａｒｕｂａｓｉｒｉ」の母音を除いた「ＳＲＢ」を短縮登録しておけば良い。これは日本語ベースの世界語である。以上を行なうと、世界の異言語間の壁が低くなる効果がある。
【図面の簡単な説明】
【図１】本発明を示すミニ盤による免状発行装置システムのブロック図及び機能動作手順の説明図である。
【符号の説明】
１１…ＣＰＵ、１２…ＲＯＭ、１３…ＲＡＭ、１４…ハードディスク（ＨＤＤ）、１５…キーボード、１６…表示器、１７…バス、１８…マウス、１９…モデム、２０…外部コンピューター。
【図１】
2004078865.tif 000002